(57)【特許請求の範囲】
【請求項１】
圧縮された、熱可塑性又は熱硬化性連続気泡発泡体からなる本体（１）を備えた吸収性物品であって、
前記本体（１）は超音波作成された窪み（２、３）からなるパターンを前記本体の両側に有し、前記両側における前記窪みは互いに同軸であるとともに、共通の底部（４）によって互いから隔てられ、前記共通の底部は前記本体の残りの部分より高い程度に圧縮されていることを特徴とする吸収性物品。
【請求項２】
前記窪み（２、３）それぞれの周囲の領域において、気泡のサイズが、前記底部（４）から、前記窪みの開口それぞれに向かって増加することを特徴とする請求項１に記載の吸収性物品。
【請求項３】
前記窪み（２、３）それぞれの周囲の領域において、前記気泡のサイズが、前記底部（４）から、前記窪みを含有する前記本体（１）の表面と平行に、外側方向へ向かって増加することを特徴とする請求項２に記載の吸収性物品。
【請求項４】
前記窪み（２、３）のパターンにおける前記窪み（２、３）の前記底部（４）は、互いに接続されておらず、前記窪みのパターンにおける近接する前記底部間の間隔が、前記本体（１）の厚さの少なくとも１０％であることを特徴とする請求項３に記載の吸収性物品。
【請求項５】
前記窪み（２、３）のパターンが規則的であることを特徴とする、請求項１〜４のいずれか一項に記載の吸収性物品。
【請求項６】
前記窪み（２、３）の前記底部（４）における材料が融合されていることを特徴とする請求項１〜５のいずれか一項に記載の吸収性物品。
【請求項７】
前記本体（１）がポリウレタン発泡体から製造されることを特徴とする請求項１〜６のいずれか一項に記載の吸収性物品。
【請求項８】
１つ以上の吸収性材料の層をさらに備える請求項１〜７のいずれか一項に記載の吸収性物品。
【請求項９】
創傷パッドである請求項１〜８のいずれか一項に記載の吸収性物品。
【請求項１０】
請求項１〜８のいずれか一項に記載の吸収性物品を製造する方法であって、
外表面から突出する突起（８）のパターンを有するカウンターローラー（７）と、超音波溶着装置（５）のホーン（９）との間に、圧縮されていない熱可塑性又は熱硬化性連続気泡発泡体材料のウェブ（６）を供給し、カウンターローラー（７）の突起（８）と超音波溶着装置（５）のホーン（９）との間で前記ウェブ（６）を圧縮することによって、前記ウェブ（６）の両側に窪み（２、３）のパターンを形成し、
前記圧縮されたウェブ（６）から個別の本体（１）を切り取る
ことを含む方法。
【請求項１１】
前記圧縮されたウェブ（６）から個別の本体（１）を切り取る前に、前記圧縮されたウェブ（６）の少なくとも片側に、吸収性材料からなる１つ以上の層を適用して、前記層を前記圧縮されたウェブ（６）に取り付けることを更に含む、請求項１０に記載の方法。
【請求項１２】
請求項１〜８のいずれか一項に記載の吸収性物品を備える創傷被覆材。
【発明の詳細な説明】
【技術分野】
【０００１】
本発明は、圧縮された熱可塑性又は熱硬化性材料からなる連続気泡発泡体の本体を備える創傷パッド（ｗｏｕｎｄ  ｐａｄ）と、このような創傷パッドの製造方法とに関する。
【背景技術】
【０００２】
創傷パッドの主な機能は、創床からの過剰な滲出液を除去すること、及び除去された滲出液が、創傷パッドに引力又は別の外力がかかっている場合に創床に戻ることを防ぐことである。従って創傷パッドは、良好な液体捕捉特性（即ち、滲出液が創傷パッドに入ることが容易である）と、良好な液体保持又は維持特性（即ち、創傷パッドによって吸い上げられた滲出液が、引力又は別の外力によって創床に押し戻されることを防ぐ能力）とを有する。さらには、吸収容量、即ちこのパッドが弛緩した状態においてパッド内に蓄積することができる滲出液の量は、拡散又は分配特性、即ちパッドが創床の上表面の平面に平行な方向に滲出液を搬送する能力と同様に重要である。最後に、創傷パッドは、創傷治癒を促進するための、創床上の湿潤環境をも提供する。
【先行技術文献】
【特許文献】
【０００３】
【特許文献１】国際公開第２００５／０２１６２２号パンフレット
【発明の概要】
【発明が解決しようとする課題】
【０００４】
熱可塑性並びに熱硬化性の連続気泡発泡体、及びセルロースベースの材料は、創傷パッド又は創傷パッドの部分のような吸収性物品として用いられることが多い。通常、発泡体は、きわめて良好な液体吸い上げ特性、即ち、創床からこの創床の面に対して垂直な方向に滲出液を搬出する能力を有するが、拡散特性は比較的乏しい。これら乏しい拡散特性は、このような発泡体が、創傷パッドとして用いられている場合に局所的に飽和して、発泡体の理論上の吸収容量に到達するよりはるか前に漏洩を生じさせる危険性に関連し、このことは結果的に、滲出液が創床に逆戻りして、浸軟（ｍａｃｅｒａｔｉｏｎ）としばしば称される現象である、周囲の皮膚の損傷を引き起こす。例えば特許文献１を見ると、熱と圧力とを用いて発泡体を部分的又は全体的に圧縮し、これにより気泡の大部分を、楕円体状気泡形状に再配向させることによって、発泡体の拡散特性を改善させることが知られている。このような圧縮は、改善された保持特性をもたらすが、気泡サイズの減少による、低下した吸収容量及び液体捕捉特性をもたらしてしまう。
【０００５】
また、圧縮は発泡体の硬化をもたらし、これにより、高すぎる圧縮度が創傷パッドの適合性、即ち、このような創傷パッドを包含する創傷被覆材が適用された、患者の身体の一部の外形に適合するための創傷パッドの能力に悪影響を与える。
【０００６】
実用上及び美観上それぞれの理由のために、創傷パッドは薄いことが望ましい。しかしながら、圧縮されていない発泡体材料からなる薄い本体は、創傷パッドとして、又は創傷パッド内の層として用いるためには、あまりに乏しい吸収及び保持特性しか有しない傾向にある。
【０００７】
本発明の目的は、熱可塑性又は熱硬化性材料からなる圧縮された連続気泡発泡体の本体を備え、良好な適合性、拡散、保持並びに液体捕捉特性、及び十分な吸収容量を有する創傷パッドと、そのような、本体の拡散性、保持性及び液体捕捉性を複合させた特性の変更を、適合性を犠牲にすることなく可能とする創傷パッドの製造方法とを提供することである。
【課題を解決するための手段】
【０００８】
これら目的は、圧縮された熱可塑性又は熱硬化性の連続気泡発泡体からなる本体を備えた創傷パッドのような、吸収性物品によって達成され、前記本体は、超音波作成された窪みからなるパターンをこの本体の両側に有し、両側の窪みは互いに同軸であると共に共通の底部によって互いに隔てられ、この共通の底部は前記本体の残りの部分と比較してより高い程度に圧縮されていることを特徴とする。このような本体においては、窪みの周囲の領域における発泡体の圧縮は、本体の別の領域におけるよりも大きく、即ち、このような本体の拡散性及び保持性のかなりの範囲を、窪みのパターンの変化によって変化させることができる。さらには、窪みの間の、より小さい圧縮を有する領域の存在によって、底部に近接したエリアにおける大きい圧縮にも関わらず、本体は極めて良好な適合性を有する。
【０００９】
好ましい実施形態においては、窪みそれぞれの周囲の領域において、気泡のサイズが、前記共通の底部から窪みの開口それぞれに向かって増加し、且つ前記共通の底部から外側方向へ向かって、前記窪みを含む前記本体の表面と平行に増加する。
【００１０】
このような本体の望ましい適合性を提供するために、窪みのパターンにおける、窪みの共通の底部は互いに接続されておらず、前記本体の厚さの少なくとも１０％隔てられている。
【００１１】
窪みのパターンを規則的にすることができるが、不規則なパターン又は様々な深さの窪みをも用いることができる。
【００１２】
窪みの底部における材料を、好ましくは融合することができ、これにより少量の極めて小さい気泡のみが共通の底部に存在する。
【００１３】
好ましい実施形態においては、前記本体はポリウレタン発泡体から製造されるが、熱可塑性又は熱硬化性材料からなる別の発泡体を代わりに用いることができる。
【００１４】
吸収性材料からなる１つ以上の層を、発泡体本体と組み合わせて用いることができる。
【００１５】
また、本発明は、熱可塑性又は熱硬化性材料からなる連続気泡発泡体の本体を備えた創傷パッドのような、吸収性物品の製造方法に関連し、熱可塑性又は熱硬化性材料からなる発泡体のウェブ（ｗｅｂ）の両側に、自身の外表面から突出する突起のパターンを有するカウンターローラーと超音波溶着装置のホーンとの間に前記ウェブを供給することによって窪みのパターンを形成するステップであって、この両側の窪みは互いに同軸であるとともに底部によって互いに隔てられているステップと、任意に、吸収性材料からなる１つ以上の層を前記ウェブの少なくとも片側上に適用して、前記層を前記ウェブに取り付けるステップと、個別の創傷パッドを、圧縮された熱可塑性又は熱硬化性材料からなるウェブ及び吸収性材料からなる任意に重ねられた層から切り取るステップと、を特徴とする。本発明はさらに、上述された吸収性物品を備える創傷被覆材に関する。
【００１６】
本発明は、添付の図面を参照して記述される。
【図面の簡単な説明】
【００１７】
【図１】本発明の好ましい実施形態による、創傷パッド又は創傷パッドの構成部分として有用な発泡体本体を開示する概略図である。
【図２】図１の本体の一部を概略的に開示する断面図である。
【図３】本発明のさらなる実施形態において使用可能である、異なるパターンの窪みを開示する概略図である。
【図４】本発明のさらなる実施形態において使用可能である、異なるパターンの窪みを開示する概略図である。
【図５】本発明のさらなる実施形態において使用可能である、異なるパターンの窪みを開示する概略図である。
【図６】本発明の実施形態による、熱可塑性又は熱硬化性連続気泡材料からなる圧縮された本体を製造するための超音波溶着装置を開示する概略図である。
【図７】図６の超音波溶着装置のカウンターローラー及びホーンの一部を開示する概略図である。
【発明を実施するための形態】
【００１８】
図１には、圧縮された連続気泡ポリウレタン発泡体からなる本体１が概略的に示されている。本体１は、上下両側に窪みのパターンを有している。用語「上」及び「下」は、図に示されている本体を参照しており、このような本体を備える創傷被覆材がどのように患者の身体に配置されるかとは無関係である。本体１の上側における窪みは参照符号２によって示され、下側における窪みは参照符号３によって示されている。
【００１９】
本体の上側における窪み２は、本体１の下側における窪み３と同軸であり、このことは、上側及び下側のパターンが互いに同様であることを意味している。また、図示されている実施形態においては、両パターンにおける窪み２、３のサイズも同一であるが、後述するように、対向する窪みの深さは、わずかに異ならせることができる。上側及び下側における対抗する窪み２、３は、それぞれ共通の底部４（図２に示されている）によって互いから隔てられている。
【００２０】
図１及び図２に示されている本体１を製造するための超音波溶着装置５が、図６に概略的に示されている。本体１は、外表面から突出する突起８のパターンを有するカウンターローラー７と、超音波溶着装置５のホーン９との間に、圧縮されていない連続気泡ポリウレタン発泡体からなるウェブ６を供給し、及びその後このウェブを個別の本体１に切断することによって製造される。プロセスペーパー（ｐｒｏｃｅｓｓ  ｐａｐｅｒ）Ｐは、好ましくは、超音波溶着装置と、発泡体のウェブとの間の摩擦を低減させるために用いられる。任意に、吸収性材料からなる１つ以上の層を、切断ステップの前に前記ウェブの片側又は両側に適用し、取り付けて、これにより２つ以上の層を備える複合創傷パッドを製造することができる。超音波溶着装置５は、Ｂｒａｎｓｏｎ社の２０００Ｘ（２０ｋＨｚ）、Ｄｕｋａｎｅ社のＤＰＣ（２０ｋＨｚ）又はＨｅｒｒｍａｎｎ社の２０００ｃｓ（２０ｋＨｚ）のような、市販のタイプのものとすることができる。
【００２１】
矢印Ａの方向にウェブ６を供給するため、及び任意の層を重ねて複合創傷パッドを形成するための装置、並びにカッターは、当業者には周知である。記載された、創傷パッドの製造装置は、このようなパッドを備える創傷被覆材の製造のための、分離したプロセスラインとすることも、又は連続的なプロセスライン内に設置することもできる。
【００２２】
図７には、ホーンがカウンターローラー７の突起に最も近接した位置にある際の、超音波溶着装置５のカウンターローラー７及びホーン９の一部が、拡大されて概略的に示されている。このホーン９は、カウンターローラーに対して前後に超音波周波数で動く。ウェブへのこのハンマリング（ｈａｍｍｅｒｉｎｇ）は、内部摩擦によって材料に発生する熱を引き起こす。生成した熱は、突起８の先端とホーン９との間に配置された発泡体に集中する。この領域からの熱の拡散は極めて限られている。超音波溶着装置５によって供給されるエネルギーは非常に大きいので、突起８の先端とホーン９との間の材料が融合して、これにより、超音波溶着装置を用いた圧縮ステップの後には、ウェブのこれら部位には気泡が残らないか、又は極めて小さな気泡が残る。好ましく用いられるプロセスペーパーＰは、図７には示されていない。
【００２３】
上述のように製造され、共通の底部４において融合された材料を有する本体１が、図２の断面図にて概略的に示されている構成を達成したことが、示された。窪み２、３の外側の領域１０、１１では、気泡の大きさは、底部４に最も近接した部分において最小となり、この部分から、上方並びに下方、及び側方に向かって次第に大きくなっている。図２から明らかなように、超音波溶着装置５を通じた発泡体ウェブ６の通行の間に下部が異なって圧縮されたにも関わらず、領域１０及び１１の下部と上部とは同じ構成を有する。このことは、上述された製造方法によって得られた発泡体における圧縮が、加熱及び加圧の適用に起因する発泡体中の気泡の永続的な変形の効果ではないが、その代わりに、底部４の近接部において、共通の底部４における発泡体の融合によって発泡体が初期厚さへ弾性的に回復しないという効果であることを示唆している。この効果は、発泡体マットレス又は同様の物に指を押しつけることの効果と同様であると考えられ、例えば、窪みのパターンを有するクッションにおいて用いられており、この窪みのパターンにおいて、このような窪みの底部の拡大は、この窪みに縫い付けられたボタンによって妨げられている。また、共通の底部が除去された場合、底部の除去によって生成された孔の周囲の発泡体材料は、発泡体材料の初期厚さ、又は発泡体材料の初期厚さに近い厚さに弾性的に回復し、これにより前記孔は筒状の壁面を有することも見出された。
【００２４】
従って、底部４の外側の領域の最上部部分及び最下部部分は、最も大きな気泡サイズを有し、これら部分は最も良好な液体捕捉特性を有する。気泡サイズはこれら部分からあらゆる方向に向かって減少するので、これら部分に入る滲出液は毛細管力によって本体１の中心部分に吸い込まれる。本体１は、同じ材料からなる圧縮されていない発泡体本体の液体捕捉特性と等しい液体捕捉特性を有する。また、この本体の上下表面に平行な、本体の中心領域における、より小さい気泡サイズによって、本体１の保持特性も良好である。さらには、このような中心領域における気泡サイズの勾配も、本体１の内部に吸い込まれた滲出液の良好な拡散性を確実にする。
【００２５】
底部４から最も遠い部分における材料の比較的低い圧縮によって、発泡体材料の順応性を、底部及びこれら底部に近接した部分での高い圧縮にも関わらず、維持することができる。
【００２６】
図１及び図２において概略的に開示される本体は、オランダ、エッテンルールのＣｏｒｐｕｒａＢＶ社の、５ｍｍの厚さを有する圧縮されていない連続気泡ポリウレタン発泡体ＭＣＦ０３を、Ｄｕｋａｎｅ社の超音波溶着装置ＤＰＣ（２０ｋＨｚ）のホーンと、周囲表面の周りに規則的なパターンで延出している円筒状突起の複数の行を有するカウンターローラーとの間の間隙に供給することにより製造された。それぞれの突起の高さは１ｍｍであり、径は１．２６ｍｍであった。隣接した突起間の間隔は３ｍｍであり、列の間の間隔は２．６ｍｍであった。超音波溶着装置５の通過の後に、ウェブの厚さｔは２．５ｍｍとなった。
【００２７】
用いられる適切なプロセスペーパーの一例は、Ｍｏｎｄｉ  Ｓｉｌｉｃａｒｔ社のポリエチレンコートされたペーパー（１２０ｇ／ｍ）である。
【００２８】
溶着装置５の通過の後に、ウェブは切断されて個別の本体１となった。本体１それぞれは、図１に示されているような窪みのパターンを有し、この窪みのパターンにおいて底部は円形状であり、カウンターローラー７から突出している突起の先端と同一の径を有した。それぞれの列における底部は、互いから３ｍｍ離間しており、パターンにおける隣接した列の間の間隔は２．６ｍｍであった。
【００２９】
このような本体１を、圧縮されておらず、超音波溶着装置５に入る前のウェブ６と同じ厚さを有する、同一の発泡体材料からなる本体、及び熱及び圧力によって本体１と同じ厚さｔまで均一に圧縮された本体と比較した。驚くべきことに、本体１は、圧縮されていない発泡体からなる本体と同等、且つ均一に圧縮された発泡体本体と比較してはるかに良好な液体捕捉特性を有することが見出された。さらに、本体１は均一に圧縮された発泡体本体と同等の保持特性を有していた。また、吸収した液体の拡散は、均一に圧縮された発泡体と同じ大きさであり、一方で圧縮されていない発泡体よりも良好であった。
【００３０】
これら本体１の順応性を決定するために、伸展性（即ち、テストピースを所定の距離だけ伸展させるために必要な力）及び屈曲長さを、圧縮されていない本体と、均一に圧縮された本体と、記載された実施形態による本体１とに対して測定した。屈曲長さとは、ある材料のドレープ特性（ｄｒａｐａｂｉｌｉｔｙ）を決定するための試験であり、ある材料の自由端がこの材料の自重によって所定の角度だけ屈曲するために必要とされる長さを測定する。これら試験は、本体１の伸展性並びに屈曲長さが、圧縮されていない本体及び均一に圧縮された本体の伸展性並びに屈曲長さと比較して良好であることを示した。
【００３１】
本体１の吸収能は、圧縮されていない本体の吸収能と比較すると当然低かったが、均一に圧縮された本体とは同一の大きさであった。しかしながら、圧縮されていない発泡体本体が乏しい拡散特性しか有しないので、圧縮されていない発泡体からなる創傷パッドを有する創傷被覆材は、この創傷被覆材の吸収能に相当する量の液体を吸収するよりはるか前に局所的に漏洩を生じる傾向にあるのに対して、圧縮された発泡体本体は、これら発泡体本体の吸収能に近い量の液体を吸収してしまうまで、漏洩を生じることはない。
【００３２】
本発明に従って製造された本体の液体処理特性及び順応性は、圧縮されていない発泡体材料の厚さが与えられている場合、窪みの列それぞれにおける底部間の間隔、及び近接した窪みの列の間の間隔、即ち窪みのパターンがどの程度の密度であるかに対して、高い度合いで依存する。非圧縮時に厚さ５ｍｍを有する発泡体に対して前記間隔が０．５ｍｍ未満となるような、より高密度なパターンが用いられている場合、本体の厚さｔが減少し、且つ剛性が増加し、結果的に本体は創傷被覆材に用いるためにはあまりに低い順応性しか有しなくなる。さらに、液体捕捉特性も比較的乏しくなる。よりまばらなパターンを用いる場合、本体の厚さｔは増加し、本体の保持特性及び拡散特性は幾分悪くなる。従って、このような本体が、創床に最も近接する層として創傷被覆材において用いられる際は、これら間隔が７ｍｍ未満、好ましくは６ｍｍ未満であることが好ましい。従って、窪みのパターンにおける、隣接した底部間の間隔は、発泡体の圧縮されていない厚さの好ましくは３０〜１００％、例えば４０〜８０％、最も好ましくは５０〜７０％とするべきである。
【００３３】
本発明に従って製造された本体の特性は、超音波溶着装置のカウンターローラー７から突出する突起の長さにある程度影響される。より高い突起が用いられている場合、圧縮された発泡体の厚さは幾分大きくなり、全体にわたって幾分大きい気泡サイズと、その結果として幾分低下した拡散特性とがもたらされる。従って、突起の高さは、圧縮されていない発泡体の厚さの８０％以内とする。しかしながら、突起の高さは、この材料の全体的な外観に影響するとは考えられず、底部は、用いられた突起の種々の長さとは無関係に、製造された圧縮された発泡体の略中間に配置される。
【００３４】
記載された好ましい実施形態においては、突起８は、円状の断面を有する。当然のことながら、楕円形状、長方形状、正方形状又は三角形状等のような、別の形状の断面を有する突起を用いることが可能である。
【００３５】
また、スポット状形状以外の形状を底部が有するパターンを用いることが可能である。図３〜図５に、予想されるパターンの例が概略的に示されており、これらパターンの例においては、底部はスポット状形状を有する代わりに、様々なラインから構成されている。図３には、格子状パターンからなる形状のパターンが示されており、図４には、ｖ字状形状を有する底部の列からなるパターンが示されており、図５には、底部がハニカム状パターンを形成するラインであるパターンが示されている。本発明は、単に非限定的な例として与えられている、示されたパターンに限定されるわけではなく、別のパターン及び底部形状が、当業者には容易に利用可能である。
【００３６】
上記において示されると共に説明されたパターンは規則的であるが、不規則なパターンを形成することが可能であり、この不規則なパターンにおいては、本体の様々な部分において異なる特徴を得るように、又はカウンターローラーから突出する突起が様々な形状或いは長さを有していることにより、隣接した突起間、及び／又は突起の列間の距離は様々である。当然のことながら、スポット状形状パターンとライン状形状パターンとの組み合わせであるパターンを用いることも可能である。
【００３７】
従来技術において知られているように、いわゆる超吸収性粒子又は繊維を発泡体内に組み込んで、これによりこの発泡体の貯蔵及び保持特性を高めることが可能である。圧縮の前或いは後に、又は圧縮されていない発泡体の製造の間にすら、発泡体に加えて、例えば創傷治癒を促進することができる物質の別の例は、
ａ）銀、銀塩、亜鉛、亜鉛塩、ヨウ素、ヨウ素錯体、ポリヘキサメチルビグアニド、クロ    ルヘキシジン及び／或いはそれらの混合物又は化合物のいずれかからなるグループか    ら選択される抗菌剤、及び／又は
ｂ）ビタミン、ペプチド、成長因子、核酸及び／或いはそれらの混合物又は化合物のいず    れか、
である。
【００３８】
記述された好ましい実施形態においては、底部は、極めて小さい気泡のみが残るような範囲まで圧縮され、このことは、圧縮された本体が創傷パッドとして用いられる場合に好ましい。しかしながら、底部がより少ない範囲で融合され、その結果、底部におけるより大きい残存気泡を、及び場合によってはより厚い発泡体をも得られるように、超音波溶着装置を動作させることが可能である。超音波装置を通じる発泡体のウェブの輸送速度を増加する場合に、発泡体の厚さを増大させることができることは、既に示された。
【００３９】
記述された実施形態においては、ウェブ６は、圧縮されていない発泡体のウェブからなる。当然のことながら、予備圧縮された発泡体のウェブを代わりに用いることが可能である。さらに、様々な気泡サイズを有する発泡体本体、例えば気泡サイズの勾配を有する発泡体を用いることが可能である。
【００４０】
上述された本体１は、創傷パッド単体として用いることも、別の吸収性層と組み合わせて用いることも可能である。
【００４１】
図１〜図７を参照して記載された例のいずれかによる、発泡体本体を備える創傷被覆材は、拡散層、例えばティシュー又は不織布の薄層をこの発泡体本体の上部に有することができ、この発泡体本体と拡散層とは、創傷パッドを越えて横方向に延在する、好ましくはＡＳＴＭ  Ｄ  ６７０１による計測で２４時間あたり少なくとも２０００ｇ／ｍ２のＷＶＴＲ（Ｗａｔｅｒ  Ｖａｐｏｒ  Ｔｒａｎｓｍｉｓｓｉｏｎ  Ｒａｔｅ：水蒸気透過速度）を有する適切なポリマーからなる、蒸気透過性かつ液体不浸透性のフィルムからなる最上層によって包まれる。ポリマーからなるネット、又はシリコーン接着剤からなる不連続層のような、創床に貼り付く傾向が低い液体透過性を有する層を、好ましくは創床に最も近接させて配置することができ、この最上層の周囲部分は接着剤の層によってコーティングされ、この接着剤の層は創傷パッドの下に延在する接着剤と好ましくは同一の接着剤とすることができる。あるいは、このような創傷被覆材においては、吸収性繊維と、超吸収性粒子又は繊維との混合物である吸収性材料からなる層を、発泡体本体と拡散層との間に配置することができる。
【００４２】
当然のことながら、記載された実施形態は、本発明の範囲から逸脱することなく変型することが可能である。底部のパターンは、示されたものとは別の形状を有することができ、且つ様々な規則的なパターンを不規則なパターンと組み合わせることができる。圧縮されていない発泡体は、気泡サイズの勾配を有する、即ち気泡のサイズが発泡体の厚さ方向に減少する種類の物とすることができ、それによって、本発明による圧縮がなされた発泡体は強度勾配を維持し、よって底部を通る平面の両側の厚さ領域において異なる特性を有する。創傷パッドの形状は、正方形状又は長方形状である必要はなく、楕円状又は円状等のような任意の形状を有することができる。従って本発明は、添付の特許請求の範囲の内容によってのみ限定されるべきである。
【符号の説明】
【００４３】
１  本体
２  陥没
３  陥没
４  共通の底部
５  超音波溶着装置
６  ウェブ
７  カウンターローラー
８  突起
９  ホーン
１０  領域
１１  領域
【図１】
0005395262.tif 000002
【図２】
0005395262.tif 000003
【図３】
0005395262.tif 000004
【図４】
0005395262.tif 000005
【図５】
0005395262.tif 000006
【図６】
0005395262.tif 000007
【図７】
0005395262.tif 000008